(57)【要約】【課題】本来クラウドサービスに対するアクセス権限を有しないユーザに対して、所定の条件の下、Ｗｅｂを通じたクラウド上のファイルの公開を許可する。【解決手段】情報処理装置との間でファイルの連携を行うことにより、情報処理装置に対してクラウドサービスを提供するクラウドストレージサーバであって、クラウドサービスの提供を受ける情報処理装置以外の他の情報処理装置に対して、所定の条件の下、所定のファイルを閲覧可能な状態に設定する公開手段を含む。【選択図】図１
2013235496.tif 000002
【特許請求の範囲】
【請求項１】
情報処理装置との間でファイルの連携を行うことにより、前記情報処理装置に対してクラウドサービスを提供するクラウドストレージサーバであって、
前記クラウドサービスの提供を受ける情報処理装置以外の他の情報処理装置に対して、所定の条件の下、所定のファイルを閲覧可能な状態に設定する公開手段を含むことを特徴とするクラウドストレージサーバ。
【請求項２】
前記公開手段は、前記他の情報処理装置に対して送信される、前記所定の条件が記載された電子メールを含むことを特徴とする請求項１に記載のクラウドストレージサーバ。
【請求項３】
前記電子メールは、前記クラウドサービスの提供を受ける情報処理装置において作成されることを特徴とする請求項２に記載のクラウドストレージサーバ。
【請求項４】
前記所定の条件は、閲覧可能な状態に設定される前記所定のファイルに対して、前記他の情報処理装置がアクセスするためのＷｅｂサイトアドレスと、前記他の情報処理装置が前記Ｗｅｂサイトアドレスにアクセスした後、前記所定のファイルをダウンロードするために入力されるパスワードと、前記他の情報処理装置が、前記所定のファイルをダウンロード可能な有効期間と、を含むことを特徴とする請求項１から３の何れか１項に記載のクラウドストレージサーバ。
【請求項５】
前記所定のファイルをダウンロード可能な回数は予め定められており、前記ダウンロードがなされる度毎に、前記ダウンロード可能な回数は減少することを特徴とする請求項４に記載のクラウドストレージサーバ。
【請求項６】
前記所定のファイルは、複数個閲覧可能な状態に設定されることを特徴とする請求項１から５の何れか１項に記載のクラウドストレージサーバ。
【発明の詳細な説明】
【技術分野】
【０００１】
本発明は、クラウドストレージサーバに関する。
【背景技術】
【０００２】
パーソナルコンピュータ（ＰＣ）、タブレット端末、及びスマートフォン等のスマートデバイスと、企業専用のプライベートクラウドとをオンラインで繋ぎ、「いつでも、どこでも、安全に」外出先でのビジネスシーンを大きく変える動きとして、クラウドサービスが展開されつつある。このクラウドサービスによれば、スマートデバイスをビジネスの最前線で用いることが可能となる。
【０００３】
例えば、社内でパーソナルコンピュータ（ＰＣ）からアップロードした外出先で突然必要とされるデータ（文書データ、画像データ等）に対して、現場（社外）でスマートデバイスからアクセスし、閲覧可能とすることにより、内勤の社員とリアルタイムに連携し、情報共有することにより、即座にデータを顧客へ送付し、現場と直結したビジネスの促進が図られる。
【０００４】
また、企業専用のプライベートクラウドの中の、企業の組織毎にグループ化して設けられたグループ別電話帳にアクセスすることにより、顧客の連絡先をチェックし、電話やメールを用いて連絡を取り、顧客の住所に連動した地図表示を用いて訪問先を確認することが可能となる。また、現場の状況をスマートデバイスのカメラで撮影し、写真・動画を、企業専用のプライベートクラウドを用いてリアルタイムに共有することも可能である。
【０００５】
さらに、顧客との打合せ内容、顧客の声、通話内容を録音し、これらの音声データも社内で共有することができる。また、メモ機能を使用して、備忘録や営業報告もリアルタイムで共有することができる。そして、ライフログ機能を用いて、スケジュール管理と、スマートデバイスとクラウドとのすべてのデータのやり取り、通話履歴等を時系列で格納し、それらを検索することにより、パーソナルコンピュータ（ＰＣ）を用いて営業報告書に反映することもできる。これにより、企業がスマートデバイスを社員に貸与し現場と直結したビジネス促進がなされる。
【０００６】
そして、このようなクラウドサービスは、企業向けである以上、セキュリティ機能が強固であることが要求される。セキュリティ面においては、すべてのデータは、企業専用のプライベートクラウドを含むクラウドストレージシステム（ＣＳＳ：Cloud Storage System）に格納され、企業ＩＤ（Identification）、ユーザＩＤ、及びパスワードを用いて認証を行い、データの閲覧及び利用を可能としている。
【０００７】
社員が万一、スマートデバイスを紛失したり盗難に遭ったりした場合には、企業のＩＴ（Information Technology）管理者が、管理（Ｗｅｂ）コンソール上で当該スマートデバイスに対するクラウドサービスを停止することができ、情報漏洩を防止している。また、企業専用のプライベートクラウドの中に存在するクラウドストレージサーバ内には、社員が企業専用のプライベートクラウドから閲覧した履歴（ログ）情報が格納されており、この履歴（ログ）情報を監査証跡として利用することもなされている。
【０００８】
また、社員が通常使用しているパーソナルコンピュータ（ＰＣ）内のフォルダを、企業専用のプライベートクラウド上へリアルタイムにアップロードすることにより、社員のパーソナルコンピュータ（ＰＣ）と企業専用のプライベートクラウドとを、常に最新の状態に保持しつつ、自動的にバックアップを行っている。
【０００９】
さらに、スマートデバイスのアプリケーション機能を終了すると、当該スマートデバイスに一時的に格納されていた様々なデータはスマートデバイスから消去され、企業専用のプライベートクラウドからダウンロードしたデータ、及び現場等でキャプチャーされた様々なデータは、スマートデバイス上に残存しない、モビィリィティ型シンクライアントが提供されている。
【００１０】
特許文献１には、ユーザがインターネットにアクセスできる如何なる場所のクライアント端末からも、認証されたユーザであれば、自分のファイルは勿論のこと、汎用的なブラウザを用いて保存中のファイルに対する編集、実行等の操作を行うことができ、ブラウザさえ備えた端末であれば、如何なる端末であっても、保存中のファイルに対して、表示、編集、実行等の操作を行うことができるファイル管理システムが記載されている。
【先行技術文献】
【特許文献】
【００１１】
【特許文献１】特開２００２−３７３１０４号公報
【発明の概要】
【発明が解決しようとする課題】
【００１２】
しかしながら、特許文献１に記載されたファイル管理システムでは、企業ユーザが有するＷｅｂページに、例えば、総務、開発、企画の３つのフォルダ（ファイル群）を設け、開発部門のユーザには、開発フォルダに対するフルアクセスの操作権限を設定し、企画部門のユーザには開発フォルダに対する読み出しの操作権限だけを設定することにより、企画部門のユーザが、常時開発部門のファイルを読み出して、開発スケジュール、開発進展状況等を確認することは可能であるが、編集することはできない。このように、他のグループユーザによって、自分のデータを改竄されることはないが、他の部門に所属するが、当該フォルダに対してアクセスすることが必要であると想定されるユーザに対しても、操作権限を有しないとしてアクセスを拒否し、データを非公開とすることにより、閲覧を不可能にしてしまうという問題がある。
【００１３】
そこで、本発明は、上記従来の問題点に鑑みてなされたもので、本来クラウドサービスに対するアクセス権限を有しないユーザに対して、所定の条件の下、Ｗｅｂを通じたクラウド上のファイルの公開を許可することができるクラウドストレージサーバを提供することを目的とする。
【課題を解決するための手段】
【００１４】
上記課題を解決するため、請求項１に記載の本発明におけるクラウドストレージサーバは、情報処理装置との間でファイルの連携を行うことにより、前記情報処理装置に対してクラウドサービスを提供するクラウドストレージサーバであって、前記クラウドサービスの提供を受ける情報処理装置以外の他の情報処理装置に対して、所定の条件の下、所定のファイルを閲覧可能な状態に設定する公開手段を含むことを特徴とする。
【００１５】
また、請求項２に記載のクラウドストレージサーバは、請求項１に記載のクラウドストレージサーバにおいて、前記公開手段は、前記他の情報処理装置に対して送信される、前記所定の条件が記載された電子メールを含むことを特徴とする。
【００１６】
さらに、請求項３に記載のクラウドストレージサーバは、請求項２に記載のクラウドストレージサーバにおいて、前記電子メールは、前記クラウドサービスの提供を受ける情報処理装置において作成されることを特徴とする。
【００１７】
また、請求項４に記載のクラウドストレージサーバは、請求項１から３の何れか１項に記載のクラウドストレージサーバにおいて、前記所定の条件は、閲覧可能な状態に設定される前記所定のファイルに対して、前記他の情報処理装置がアクセスするためのＷｅｂサイトアドレスと、前記他の情報処理装置が前記Ｗｅｂサイトアドレスにアクセスした後、前記所定のファイルをダウンロードするために入力されるパスワードと、前記他の情報処理装置が、前記所定のファイルをダウンロード可能な有効期間と、を含むことを特徴とする。
【００１８】
そして、請求項５に記載のクラウドストレージサーバは、請求項４に記載のクラウドストレージサーバにおいて、前記所定のファイルをダウンロード可能な回数は予め定められており、前記ダウンロードがなされる度毎に、前記ダウンロード可能な回数は減少することを特徴とする。
【００１９】
また、請求項６に記載の本発明におけるクラウドストレージサーバは、請求項１から５の何れか１項に記載のクラウドストレージサーバにおいて、前記所定のファイルは、複数個閲覧可能な状態に設定されることを特徴とする。
【発明の効果】
【００２０】
本発明によれば、クラウドサービスの利用者以外に、Ｗｅｂを介して所定の条件の下、クラウド上のファイルを公開することができるクラウドストレージサーバを得ることができる。
【図面の簡単な説明】
【００２１】
【図１】本発明の実施形態における企業専用プライベートクラウド（クラウドストレージサーバ）を含むクラウドストレージシステムの構成を示す概略図である。
【図２】本発明の実施形態におけるクラウドストレージサーバを含むクラウドストレージシステムの構成を示す概略図である。
【図３】本発明の実施形態におけるクラウドストレージサーバにＷｅｂ公開リンクを作成するパーソナルコンピュータ（ＰＣ）の画面例である。
【図４】本発明の実施形態におけるクラウドストレージサーバにＷｅｂ公開リンクを作成する際の、公開条件を設定するパーソナルコンピュータ（ＰＣ）の画面例である。
【図５】本発明の実施形態におけるクラウドストレージサーバにＷｅｂ公開リンクを作成する際の、ダウンロード用ＵＲＬ（Uniform Resource Locator）、ダウンロード用パスワード、及びダウンロード有効期限が作成されるパーソナルコンピュータ（ＰＣ）の画面例である。
【図６】本発明の実施形態におけるクラウドストレージサーバにＷｅｂ公開リンクを作成する際の、ダウンロード用ＵＲＬ、ダウンロード用パスワード、及びダウンロード有効期限を電子メールに記載するためのパーソナルコンピュータ（ＰＣ）の画面例である。
【図７】本発明の実施形態におけるクラウドストレージサーバにＷｅｂ公開リンクを作成する際の、ダウンロード用ＵＲＬとダウンロード有効期限を電子メールの本文に記載するパーソナルコンピュータ（ＰＣ）の画面例である。
【図８】本発明の実施形態におけるクラウドストレージサーバにＷｅｂ公開リンクを作成する際の、ダウンロード用パスワードを電子メールの本文に記載するパーソナルコンピュータ（ＰＣ）の画面例である。
【図９】本発明の実施形態におけるクラウドストレージサーバに作成されたＷｅｂ公開リンクにアクセスするための電子メールを受信したパーソナルコンピュータ（ＰＣ）がダウンロード用ＵＲＬをクリックしたときのパーソナルコンピュータ（ＰＣ）の画面例である。
【図１０】本発明の実施形態におけるクラウドストレージサーバに作成されたＷｅｂ公開リンクにアクセスするための電子メールを受信したパーソナルコンピュータ（ＰＣ）がダウンロード用のパスワードを入力するときのパーソナルコンピュータ（ＰＣ）の画面例である。
【図１１】本発明の実施形態におけるクラウドストレージサーバに作成されたＷｅｂ公開リンクをダウンロードするときのパーソナルコンピュータ（ＰＣ）の画面例である。
【図１２】本発明の実施形態におけるクラウドストレージサーバに作成されたＷｅｂ公開リンクをダウンロードするときのダウンロード回数を表すときのパーソナルコンピュータ（ＰＣ）の画面例である。
【図１３】本発明の実施形態におけるクラウドストレージサーバに作成されたＷｅｂ公開リンクを削除したときのパーソナルコンピュータ（ＰＣ）の画面例である。
【図１４】本発明の実施形態におけるクラウドストレージサーバに作成された複数のＷｅｂ公開リンクが作成されたときのパーソナルコンピュータ（ＰＣ）の画面例である。
【発明を実施するための形態】
【００２２】
次に、本発明を実施するための形態について図面を参照して詳細に説明する。なお、各図中、同一又は相当する部分には同一の符号を付しており、その重複説明は適宜に簡略化乃至省略する。
【００２３】
最初に、本発明の実施形態に係るクラウドストレージサーバを含むクラウドストレージシステム（ＣＳＳ：Cloud Storage System）について説明する。本発明の実施形態に係るクラウドストレージサーバを含むクラウドストレージシステムにより提供されるクラウドサービスは、スマートフォンに代表されるスマートデバイスと企業専用プライベートクラウドとをオンラインで繋ぎ、外出先でのビジネスシーンを大きく変えるものである。
【００２４】
昨今、パーソナルコンピュータ（ＰＣ）、携帯端末、タブレット端末等のユーザが使用する端末からインターネット等の広域ネットワーク上のサーバにアクセスし、サーバ上で情報処理を実行することで各種のサービスを受けられるクラウドサービスと呼ばれるサービスが普及している。
【００２５】
クラウドサービスを利用することにより、従来ユーザ側の端末にアプリケーションをインストールし実行していた情報処理をサーバ側が代行して実行するため、ユーザは自身の端末のリソースの消費を抑えて種々のサービスを利用することが出来る。
【００２６】
また、インターネットのような広域ネットワークにおいて提供されるクラウドサービスをパブリッククラウドと呼ぶこともあるが、パブリッククラウドを提供することで、インターネットに接続できるより多くのユーザにサービスを提供することが可能となる。
【００２７】
このクラウドサービスを利用することにより、クラウドサービスに対応する専用のアプリケーションソフトウェアがインストールされたパーソナルコンピュータ（ＰＣ）からリアルタイムにアップロードされ、外出先で突然必要となったファイルデータ（文書、画像等）をスマートデバイスを用いて閲覧し、内勤の社員と連携してファイルデータを顧客へ送付することができる。
【００２８】
また、グループ別電話帳にアクセスし、顧客連絡先をチェックし、電話やメールで連絡を取ることができる。さらに、地図表示機能を用いて訪問先を確認し、現場の状況（写真／動画）をカメラで撮影し、そのファイル自体をクラウドにアップロードすることにより、リアルタイムでファイルの中身を共有することができる。例えば、会議の内容、顧客の生の声、及び通話内容を録音し、社内で共有することもできる。メモ機能を使用して、備忘録や報告事項をリアルタイムで共有することも可能である。
【００２９】
さらに、ライフログ機能で、スケジュール管理と、クラウドとの全てのデータのやり取り、通話履歴等を時系列で検索し、クラウドサービスに対応する専用のアプリケーションソフトウェアがインストールされたスマートデバイスを用いて、報告書に反映することができる。これにより、企業がスマートデバイスを社員に貸与し、現場と直結したビジネスの促進が可能となる。
【００３０】
そして、スマートデバイスがクラウドサービスを抜けると、スマートデバイス上のデータはスマートデバイスから全て消去（ローカルワイプ）され、プライベートクラウドから入手したデータ、現場でキャプチャーしたデータ等は、スマートデバイス内に一切残さないといった、モビリティ型シンクライアントである。
【００３１】
次に、本発明の実施形態におけるクラウドストレージサーバを含むクラウドストレージシステムについて説明する。図１は、本発明の実施形態における企業専用プライベートクラウド（クラウドストレージサーバ）を含むクラウドストレージシステムの構成を示す概略図である。
【００３２】
図１を参照すると、本発明の実施形態における後述するクラウドストレージサーバを含む企業専用プライベートクラウド１０１は、パーソナルコンピュータ（ＰＣ）１０５、タブレット端末１０６、及びスマートフォン１０７等の通信端末を使用する複数のユーザが所有するファイル（データ）１１０がアップロードされ、当該複数のユーザ毎に区分して格納する個人フォルダ１０２（図１には、個人フォルダ１０２は１つのみ記載されているが、通信端末を使用するユーザが複数存在する場合には、ユーザ毎に夫々異なる複数の個人フォルダ１０２が存在しても良い。）と、Ａグループ１０８、Ｂグループ１０９といった組織に所属する人々よって夫々共有され、組織に所属する夫々の人々が所有するファイル（データ）１１０がアップロードされ、当該組織毎に区分して格納する共有フォルダ（Ａグループ、Ｂグループ）１０３と、クラウドストレージシステム１００によるサービスを原則として享受しないユーザの端末にファイルを公開するファイルＷｅｂ公開機能１０４と、を含んで構成されている。
【００３３】
そして、パーソナルコンピュータ（ＰＣ）１０５には、企業専用プライベートクラウド１０１のクラウドサービスに対応するＷｉｎｄｏｗｓ（登録商標）ＯＳ（Operating System）用アプリケーションソフトウェアが予めインストールされている。同様に、タブレット端末１０６及びスマートフォン１０７には、企業専用プライベートクラウド１０１のクラウドサービスに対応するｉＰｏｎｅ（登録商標）ＯＳ用アプリケーションソフトウェア、又はＡｎｄｒｏｉｄ  ＯＳ用アプリケーションソフトウェアがそれぞれ予めインストールされている。
【００３４】
個人フォルダ１０２には、パーソナルコンピュータ（ＰＣ）１０５、タブレット端末１０６及びスマートフォン１０７からアップロードされた様々なデータが格納され、パーソナルコンピュータ（ＰＣ）１０５、タブレット端末１０６、及びスマートフォン１０７同士で共有される。
【００３５】
このように、スマートデバイスに専用のアプリケーションソフトウェアをインストールするだけで、非常に簡単に企業専用プライベートクラウド１０１と連携することができる。例えば、スマートデバイス用アプリケーションソフトウェアを個人所有物のスマートデバイスにインストールするだけで、企業専用プライベートクラウド１０１とデータ連携できる環境が即時に構築できるのである（私物解禁（ＢＹＯＤ：（Bring Your Own Device））。
【００３６】
なお、セキュリティ対応として、企業専用プライベートクラウド１０１の図示しないＩＴ管理者が、後述する管理コンソールを用いて、企業専用プライベートクラウド１０１とスマートデバイスとの切断を行うことができるので、スマートデバイスの盗難・紛失時にも対応することができる。さらに、スマートデバイス側にファイルを残さないいわゆるローカルワイプ機能と、後述する認証サーバによるデバイス認証も行われる。
【００３７】
次に、本発明の実施形態におけるクラウドストレージサーバを含むクラウドストレージシステムについて説明する。図２は、本発明の実施形態におけるクラウドストレージサーバを含むクラウドストレージシステムの構成を示す概略図である。
【００３８】
図１において、クラウドストレージシステム２００は、クラウドストレージサーバ２０１と、認証サーバ２０２と、管理サーバ２０３とから構成されている。クラウドストレージサーバ２０１は、クライアント端末であるスマートフォン２０７、タブレット端末２０８、及びパーソナルコンピュータ（ＰＣ）２０９のアプリケーション機能によって作成される各種ファイルのアップロードを受け、クラウドストレージサーバ２０１内のフォルダ２０６に格納すること、及びフォルダ２０６に格納された各種ファイルを、クライアント端末であるスマートフォン２０７、タブレット端末２０８、及びパーソナルコンピュータ（ＰＣ）２０９に対してダウンロードすること、フォルダ２０６の管理、及びクラウドストレージサーバ２０１に対するアクセス管理等を行う。
【００３９】
認証サーバ２０２は、クライアント端末であるスマートフォン２０７、タブレット端末２０８、及びパーソナルコンピュータ（ＰＣ）２０９のライセンス認証、管理サーバ２０３に対するアプリケーションのバージョンアップの通知、及びアプリケーション（クライアント端末であるスマートフォン２０７、タブレット端末２０８、及びパーソナルコンピュータ（ＰＣ）２０９）の接続先クラウドストレージサーバ２０１（フォルダ２０６）の振り分け等を行う。
【００４０】
管理サーバ２０３は、３階層以上からなるマルチテナント型コンソールであり、クライアント端末であるスマートフォン２０７、タブレット端末２０８、及びパーソナルコンピュータ（ＰＣ）２０９のユーザ管理（ユーザの登録、停止、削除等）、クラウドストレージサーバ２０１の管理（ストレージ利用状況の参照、容量制限等）、クライアント端末であるスマートフォン２０７、タブレット端末２０８、及びパーソナルコンピュータ（ＰＣ）２０９に対するアプリケーション管理（アプリケーション配布管理等）、クライアント端末であるスマートフォン２０７、タブレット端末２０８、及びパーソナルコンピュータ（ＰＣ）２０９のユーザログ機能等を有する。
【００４１】
そして、クライアント端末であるスマートフォン２０７、タブレット端末２０８、及びパーソナルコンピュータ（ＰＣ）２０９からクラウドストレージサーバ２０１に対して接続要求がなされると、管理サーバ２０３は、管理者ＰＣ２０４を用いて管理コンソール２０５を見ながら認証サーバ２０２に対して、接続要求を行ったクライアント端末に対するユーザ認証、パスワード、及びデバイス認証を用いた認証行為を行うよう命令を下すと共に、クライアント端末から要求されているクラウドストレージサーバ２０１の記憶容量を、クラウドストレージサーバ２０１に対して要求する。
【００４２】
このようにして、クラウドストレージサーバ２０１に対する接続要求が許可されたクライアント端末であるスマートフォン２０７、タブレット端末２０８、及びパーソナルコンピュータ（ＰＣ）２０９同士は、保有するアプリケーション機能を用いて様々なファイルの作成を行い、それらのファイルをクライアント端末のユーザ間で共有する。
【００４３】
具体的には、表計算ソフト、ワープロソフト等によって作成されたあらゆるファイルの連携、スマートフォン２０７によって撮影された写真（静止画、動画）ファイル、録音された音声ファイルの連携、また、クライアント端末であるスマートフォン２０７、タブレット端末２０８、及びパーソナルコンピュータ（ＰＣ）２０９を業務用で使用する場合、社内全体、部署別、及び個人の住所、電話番号をクラウドストレージサーバ２０１に保管すること、住所、電話番号と地図との連携、電話着信があったときの発信元表示、通話録音、メッセージ等の備忘録、カレンダーの日付を選択することによる当日の行動の検索、着信履歴に基づく電話帳の検索、等、あらゆるアプリケーション機能を実行することができる。
【００４４】
また、管理サーバ２０３では、クラウドストレージサーバ２０１に対するスマートフォン２０７、タブレット端末２０８、及びパーソナルコンピュータ（ＰＣ）２０９等のクライアント端末（以下、「スマートデバイス」ともいう。）からのクラウド切断、スマートデバイスユーザに関するアクセスログ（ユーザログ）管理、スマートデバイスのデバイス認証、及びスマートデバイスのシンクライアント化としてスマートデバイス側にデータを残さないローカルワイプ機能等をクラウドストレージサーバ２０１に対して実行させる。
【００４５】
次に、クラウドストレージサーバのファイルＷｅｂ公開機能について説明する。図３は、本発明の実施形態におけるクラウドストレージサーバにＷｅｂ公開リンクを作成するパーソナルコンピュータ（ＰＣ）の画面例である。
【００４６】
ファイルＷｅｂ公開機能とは、要するに、クラウドストレージシステム１００（図１）内の企業専用プライベートクラウド１０１からクラウドサービスの提供を受けていない社外のユーザに対して、企業プライベートクラウド１０１内のクラウドストレージサーバ内に格納されている、本来であれば当該ユーザが閲覧することができないとされているファイルを、公開期間とダウンロード回数とを制限した上で、Ｗｅｂを通じて限定的に公開することである。
【００４７】
すなわち、クラウド上のファイルを、クラウドサービスの利用者以外に、Ｗｅｂを通して、有効期限とパスワード認証という制限を加えて公開することである。具体的には、公開対象となるファイルが格納されたＷｅｂサイトアドレス（ＵＲＬ：Uniform Resource Locator）を作成し、当該ＵＲＬを公開したい相手方にメールで送信し、当該相手方はＷｅｂを通してファイルをダウンロードすることができる。
【００４８】
図３に示すように、クラウドサービスの提供を受けているクライアント端末（パーソナルコンピュータ１０５（図１））のユーザは、公開対象のファイルを作成するために、パーソナルコンピュータ１０５の画面上において、公開対象とするファイルを選択した状態で右クリックし、「Ｗｅｂ公開リンク作成（Ｗ）」３００を選択する。なお、公開（ダウンロード）可能なファイルサイズとしては、一般的に電子メールで添付することができるデータ量よりもはるかに大容量のデータ量を公開することが可能であり、ファイルサイズの上限値としては、クラウドサービスにおいて扱うことが可能なファイルサイズと同様な値に設定することができる。
【００４９】
図４は、本発明の実施形態におけるクラウドストレージサーバにＷｅｂ公開リンクを作成する際の、公開条件を設定するパーソナルコンピュータ（ＰＣ）の画面例である。図４において、図３で選択されたＷｅｂ公開リンク作成画面では、公開対象のファイルが格納されるＵＲＬの公開期限と、公開対象ファイルのダウンロード回数が設定される。図４の例では、公開期限として２日間、公開対象ファイルのダウンロード回数として３回が設定されている。その後、画面左下の「Ｗｅｂ公開リンク作成」アイコン４００をクリックする。
【００５０】
図５は、本発明の実施形態におけるクラウドストレージサーバにＷｅｂ公開リンクを作成する際の、ダウンロード用ＵＲＬ、ダウンロード用パスワード、及びダウンロード有効期限が作成されるパーソナルコンピュータ（ＰＣ）の画面例である。図５に示すように、対象ファイルのダウンロード用ＵＲＬとして、
https://172.17.1.217:55443/Web/Download/getFile.jsp?key=4231d73f-1651-11e1-92b0-07678a47ec0dが、ダウンロード用パスワードとして、xmTpG7kaNQが、ダウロード有効期限（４８時間）として、２０１１年１１月２６日１３時０３分がそれぞれ作成される。
【００５１】
ダウンロード用ＵＲＬは、一時的に生成された実ファイルへの参照情報を保持しているＷｅｂ公開機能専用テーブルへのＵＲＬである。また、ＵＲＬは公開リンク作成の度に、公開元のファイルパスとは全く異なるランダムな文字列で生成されているので、生成されたＵＲＬ以外でアクセスすることはできない。そのため、公開用リンク作成者と、公開相手以外にファイルパスを推察されることはない。
【００５２】
図６は、本発明の実施形態におけるクラウドストレージサーバにＷｅｂ公開リンクを作成する際の、ダウンロード用ＵＲＬ、ダウンロード用パスワード、及びダウンロード有効期限を電子メールに記載するためのパーソナルコンピュータ（ＰＣ）の画面例である。図５の「クリップボードへコピー」アイコン５００をクリックすると、図６に示すように、ＵＲＬ、パスワード、及び有効期限がコピーされ、メモ帳等にペーストすることができる。
【００５３】
図７は、本発明の実施形態におけるクラウドストレージサーバにＷｅｂ公開リンクを作成する際の、ダウンロード用ＵＲＬとダウンロード有効期限を電子メールの本文に記載するパーソナルコンピュータ（ＰＣ）の画面例、図８は、本発明の実施形態におけるクラウドストレージサーバにＷｅｂ公開リンクを作成する際の、ダウンロード用パスワードを電子メールの本文に記載するパーソナルコンピュータ（ＰＣ）の画面例である。図５の「メール作成」アイコン５０１をクリックすると、メーラが起動し、「Ｗｅｂ公開リンクダウンロード用ＵＲＬ」（図７）と「Ｗｅｂ公開リンクダウンロード情報」（図８）の新規メッセージが作成される。なお、メーラはユーザが使用するパーソナルコンピュータ（ＰＣ）の環境に依存する。
【００５４】
このようにして作成された電子メールが、企業専用プライベートクラウド１０１（図１）からクラウドサービスの提供を受けていない社外のユーザのパーソナルコンピュータ（ＰＣ）に届くと、当該ユーザは、パーソナルコンピュータ（ＰＣ）で受信された電子メールの本文中から、Ｗｅｂを介してダウンロードサイトへアクセスを行う。図９は、本発明の実施形態におけるクラウドストレージサーバに作成されたＷｅｂ公開リンクにアクセスするための電子メールを受信したパーソナルコンピュータ（ＰＣ）がダウンロード用ＵＲＬをクリックしたときのパーソナルコンピュータ（ＰＣ）の画面例である。
【００５５】
図９に示すように、ファイルの公開を要求するユーザは、メール本文に自動的に記載された図示しないダウンロード用ＵＲＬをクリックすると、ダウンロードサイトへアクセスすることができる。すなわち、図９の「同意してダウンロード」アイコン９００をクリックする。なお、ユーザは、ダウンロード前に、利用規約を確認する必要がある。
【００５６】
図１０は、本発明の実施形態におけるクラウドストレージサーバに作成されたＷｅｂ公開リンクにアクセスするための電子メールを受信したパーソナルコンピュータ（ＰＣ）がダウンロード用のパスワードを入力するときのパーソナルコンピュータ（ＰＣ）の画面例である。図１０に示すように、ユーザは、メール本文にダウンロード用ＵＲＬと併せて記載されたダウンロード用のパスワードを入力し、「ＯＫ」アイコン１０００をクリックする。
【００５７】
図１１は、本発明の実施形態におけるクラウドストレージサーバに作成されたＷｅｂ公開リンクをダウンロードするときのパーソナルコンピュータ（ＰＣ）の画面例である。図１１において、最下段の左から２番目の「ダウンロード」アイコン１１００をクリックすると、ファイルをダウンロードすることができる。そして、図１１に示された画面（以下、「ファイル公開機能メニュー」ともいう。）において、ファイルの公開を受けるユーザは、ファイル公開機能メニューを見ることにより、ダウンロードするファイルの有効期限と、ダウンロード回数の制限についての情報を得ることができる。
【００５８】
図１２は、本発明の実施形態におけるクラウドストレージサーバに作成されたＷｅｂ公開リンクをダウンロードするときのダウンロード回数を表すときのパーソナルコンピュータ（ＰＣ）の画面例である。図１２において、ファイル公開機能メニューの中の下から２段目、右から２番目の「残回数」１２００の回数は「ダウンロード」アイコン１１００を１回クリックする毎に１つずつ減っていく。「ダウンロード」アイコン１１００をクリックし、保存確認時にキャンセルしたとしても、「残回数」１２００の回数は１つ減る。
【００５９】
図１３は、本発明の実施形態におけるクラウドストレージサーバに作成されたＷｅｂ公開リンクを削除したときのパーソナルコンピュータ（ＰＣ）の画面例である。図１１において、ファイル公開機能メニューの中の「削除」アイコン１１０１をクリックすると、有効期限よりも前にＷｅｂ公開リンクを削除することができる。一旦削除されると、同じＵＲＬから再び公開ファイルをダウンロードすることはできない。
【００６０】
図１４は、本発明の実施形態におけるクラウドストレージサーバに作成された複数のＷｅｂ公開リンクが作成されたときのパーソナルコンピュータ（ＰＣ）の画面例である。図１４に示すように、上記説明したのと同様の手順を用いることにより、複数のファイルに対してＷｅｂ公開リンクを作成することもできる。図１４では、ファイル公開機能メニューの中に５つのファイルが公開対象となっている。なお、Ｗｅｂ公開リンク作成で指定可能なファイル数として、任意の上限値を設けても良い。
【００６１】
なお、上記説明したファイルＷｅｂ公開機能は、図１に示した各種スマートデバイスのうち、タブレット端末１０６やスマートフォン１０７に搭載せず、パーソナルコンピュータ（ＰＣ）１０５にのみ搭載するようにしても良い。
【００６２】
以上説明してきたように、本発明によれば、クラウドストレージシステム内の企業専用プライベートクラウドからクラウドサービスの提供を受けていない外部のユーザに対して、企業プライベートクラウド内のクラウドストレージサーバに格納されている、本来当該ユーザが閲覧することができないファイルを、公開期間とダウンロード回数とを制限した上で、Ｗｅｂを通じて限定的に公開することにより、クラウドサービスの利用者以外に、Ｗｅｂを介して所定の条件の下、クラウド上のファイルを公開することができるクラウドストレージサーバを得ることができる。
【００６３】
以上、本発明の好適な実施の形態により本発明を説明した。ここでは特定の具体例を示して本発明を説明したが、特許請求の範囲に定義された本発明の広範囲な趣旨及び範囲から逸脱することなく、これら具体例に様々な修正及び変更が可能である。
【符号の説明】
【００６４】
１００、２００    クラウドストレージシステム（ＣＳＳ）
１０１    企業専用プライベートクラウド
１０２    個人フォルダ
１０３    共有フォルダ
１０４    ファイルＷｅｂ公開機能
１０５、２０９    パーソナルコンピュータ（ＰＣ）
１０６、２０８    タブレット端末
１０７、２０７    スマートフォン
１０８    Ａグループの人々
１０９    Ｂグループの人々
１１０    データ
２０１    クラウドストレージサーバ
２０２    認証サーバ
２０３    管理サーバ
２０４    管理者パーソナルコンピュータ（ＰＣ）
２０５    管理コンソール
２０６    フォルダ
３００、４００    Ｗｅｂ公開リンク作成アイコン
５００    クリップボードへコピーアイコン
５０１    メール作成アイコン
９００    同意してダウンロードアイコン
１０００    ＯＫアイコン
１１００    ダウンロードアイコン
１１０１    削除アイコン
１２００    残回数
【図１】
2013235496.tif 000003
【図２】
2013235496.tif 000004
【図３】
2013235496.tif 000005
【図４】
2013235496.tif 000006
【図５】
2013235496.tif 000007
【図６】
2013235496.tif 000008
【図７】
2013235496.tif 000009
【図８】
2013235496.tif 000010
【図９】
2013235496.tif 000011
【図１０】
2013235496.tif 000012
【図１１】
2013235496.tif 000013
【図１２】
2013235496.tif 000014
【図１３】
2013235496.tif 000015
【図１４】
2013235496.tif 000016